(57)【要約】【課題】切断時の騒音を抑制することができる巾木を提供する。【解決手段】巾木１は、壁に沿って配置され、壁に沿う一方向に延びる巾木本体１０を有し、巾木本体１０の壁側の裏面１０ｂには、上下方向の延びる溝部１１が一方向に間隔を有して複数形成され、溝部１１の上端１１ｔは巾木本体１０の上端１０ｔよりも僅かに下方に位置し、溝部１１は裏面１０ｂ側から表面側に向かうにしたがって次第に幅寸法が狭くなることを特徴とする。【選択図】図３
2018155073.tif 000002
【特許請求の範囲】
【請求項１】
壁に沿って配置され、該壁に沿う一方向に延びる巾木本体を有し、
該巾木本体の前記壁側を向く裏面には、上下方向に延びる溝部が前記一方向に間隔を有して複数形成されていることを特徴とする巾木。
【請求項２】
前記溝部の上端は、前記巾木本体の上端よりも僅かに下方に位置していることを特徴とする請求項１に記載の巾木。
【請求項３】
前記溝部は、前記裏面側から表面側に向かうにしたがって次第に幅寸法が狭くなることを特徴とする請求項１または２に記載の巾木。
【請求項４】
前記裏面には、表面側に凹むとともに前記一方向に延びる凹部が形成されていることを特徴とする請求項１から３のいずれか一項に記載の巾木。
【請求項５】
前記巾木本体は、発泡性樹脂から形成されていることを特徴とする請求項１から４のいずれか一項に記載の巾木。
【発明の詳細な説明】
【技術分野】
【０００１】
本発明は、巾木に関するものである。
【背景技術】
【０００２】
従来から、住宅等の建築物の壁と床との取り合い部分には、壁に沿って長尺状の巾木が設置されている（下記特許文献１参照）。巾木は樹脂製や木製であることが多く、建築現場で卓上丸鋸等により所望の長さに切断されて、接着剤等で壁に固定されている。
【先行技術文献】
【特許文献】
【０００３】
【特許文献１】特開２０１２−２６１１１号公報
【発明の概要】
【発明が解決しようとする課題】
【０００４】
しかしながら、例えば集合住宅のリフォーム工事で巾木を交換する際には、卓上丸鋸等の切断装置で巾木を切断する際の音が隣接する住戸に響き、騒音上の問題となることがある。
【０００５】
そこで、本発明は、上記事情に鑑みてなされたものであり、騒音を伴わずに切断可能な巾木を提供する。
【課題を解決するための手段】
【０００６】
上記目的を達成するために、本発明は以下の手段を採用している。
すなわち、本発明に係る巾木は、壁に沿って配置され、該壁に沿う一方向に延びる巾木本体を有し、該巾木本体の前記壁側を向く裏面には、上下方向に延びる溝部が前記一方向に間隔を有して複数形成されていることを特徴とする。
【０００７】
このように構成された巾木では、一方向に延びる巾木を施工時に所望の長さに切断する際には、複数の溝部のうち所望の溝部に沿って切断する。溝部が上下方向に沿って形成されているため、手で切断することができる。よって、切断の際に卓上丸鋸のような大きな音を伴う切断装置を使用しなくてよいため、騒音を伴わずに巾木を切断することができる。
【０００８】
また、本発明に係る巾木では、前記溝部の上端は、前記巾木本体の上端よりも僅かに下方に位置していることが好ましい。
【０００９】
このように構成された巾木では、溝部の上端は巾木本体の上端よりも僅かに下方に位置しているため、巾木を壁に設置した状態で、巾木本体の上端から溝部は見えず、外観を良好とすることができる。また、巾木を壁に固定する際に使用する接着剤が、巾木の上端からはみ出すことが抑制される。
【００１０】
また、本発明に係る巾木では、前記溝部は、前記裏面側から表面側に向かうにしたがって次第に幅寸法が狭くなっていてもよい。
【００１１】
このように構成された巾木では、溝部は裏面側から表面側に向かうにしたがって次第に幅寸法が狭くなるため、溝部の底部（表面側）に沿って見た目良く切断することができる。
【００１２】
また、本発明に係る巾木では、前記裏面には、表面側に凹むとともに前記一方向に延びる凹部が形成されていてもよい。
【００１３】
このように構成された巾木では、裏面には表面側に凹むとともに一方向に延びる凹部が形成されているため、当該凹部に接着剤を塗布して、巾木を壁に固定することができる。接着剤は当該凹部内に納まりやすいため、接着剤の巾木の端部からのはみ出しが抑制される。
【００１４】
また、本発明に係る巾木では、前記巾木本体は、発泡性樹脂から形成されていてもよい。
【００１５】
このように構成された巾木では、巾木本体は発泡性樹脂から形成されているため、所望の形状に少ない樹脂原料で成形することができ、低コストである。また、内部に気泡を有しているため、少ない力で切断が可能である。
【発明の効果】
【００１６】
本発明に係る巾木によれば、騒音を伴わずに切断することができる。
【図面の簡単な説明】
【００１７】
【図１】本発明の一実施形態に係る巾木の設置例を示す斜視図である。
【図２】本発明の一実施形態に係る巾木を表面側（設置された状態で室内側）から見た斜視図である。
【図３】本発明の一実施形態に係る巾木を裏面側（設置された状態で壁側）から見た正面図である。
【図４】本発明の一実施形態に係る巾木の断面図（設置された状態での水平断面図）である。
【図５】本発明の一実施形態に係る巾木の断面図（設置された状態での鉛直断面図）である。
【発明を実施するための形態】
【００１８】
本発明の一実施形態に係る巾木について、図面に基づいて説明する。
図１は、本発明の一実施形態に係る巾木の設置例を示す斜視図である。
図１に示すように、壁Ｗと床Ｆとの取り合い部分には、巾木１が設置されている。
【００１９】
図２は、巾木１を表面２０ｆ側（設置された状態で室内側）から見た斜視図である。
図２に示すように、巾木１は、基部１０（巾木本体）と、基部１０に設けられた化粧部２０と、を有している。巾木１は、一方向（図２に示す紙面左下から紙面右上に向かう方向）に延びる長尺状をなしている。
【００２０】
図３は、巾木１を裏面１０ｂ側（設置された状態で壁側）から見た正面図である。図４は、巾木１の断面図（設置された状態での水平断面図）である。図５は、巾木１の断面図（設置された状態での鉛直断面図）である。
図３から図５に示すように、基部１０の裏面（設置された状態で壁側の面）１０ｂには、複数の溝部１１が形成されている。
【００２１】
溝部１１は、（設置された状態で）上下方向に延びている。換言すると、溝部１１は巾木１の巾木１の長尺方向と直交する方向に延びている。各溝部１１の上端１１ｔは、基部１０の上端１０ｔよりも僅かに下方に位置している。溝部１１は、一方向に間隔を有して複数形成されていれる。
【００２２】
図４に示すように、溝部１１は、その延在方向（上下方向）に直交する断面において、Ｖ字状をなしている。換言すると、溝部１１は、裏面１０ｂ側から表面２０ｆ側に向かうにしたがって次第に幅寸法（図４に示す紙面左右方向の寸法）が狭くなっている。
【００２３】
図３に示すように、基部１０の裏面１０ｂには、固定用凹部（凹部）１６が設けられている。固定用凹部１６は、基部１０における上下方向の略中間に位置している。固定用凹部１６は、基部１０の裏面１０ｂから表面２０ｆ側に凹むとともに、一方向に延びている。
【００２４】
化粧部２０は、基部１０の上面側から表面側（設置された状態で室内側）にわたって設けられている。
【００２５】
図５に示すように、基部１０の表面１０ｆには、裏面１０ｂ側に凹む第一化粧凹部１２が形成されている。化粧部２０には、第一化粧凹部１２に沿って凹む第二化粧凹部２１が形成されている。
【００２６】
本実施形態では、溝部１１の配置間隔寸法Ｐ（図３参照）は、約５．０ｍｍである。溝部１１の底部１１ｂと化粧部２０の表面２０ｆとの間の寸法Ａ１（図４参照）は約２.０ｍｍである。第二化粧凹部２１の深さ寸法Ａ２（図５参照）は約１．５ｍｍである。
【００２７】
巾木１は、ポリ塩化ビニル（ＰＶＣ）樹脂、ポリスチレン（ＰＳ）樹脂、ＡＢＳ樹脂等の発泡体で構成されている。基部１０を構成する樹脂と化粧部２０を構成する樹脂とを断面が巾木１の形状をした押出金型から共押出法により長尺に押出して成形した後に、溝部１１をプレスやローレット、切削加工などの後加工により形成している。溝部１１を設ける後加工は、巾木１を押出した直後でも良く、所定の長さに切断した後でも良い。
なお、固定用凹部１６、第一化粧凹部１２および第二化粧凹部２１は巾木１の製造時の押出し金型により賦形されているが、溝部１１と同様に後加工により形成しても良い。
【００２８】
このように構成された巾木１では、一方向に延びる巾木１を施工時に所望の長さに切断する際には、複数の溝部１１のうち所望の溝部１１に沿って切断する。溝部１１が上下方向に沿って形成されているため、例えば手で折り曲げるようにして切断することができる。よって、切断の際に卓上丸鋸のような大きな音を伴う切断装置を使用しなくてよいため、騒音を伴わずに巾木１を切断することができる。なお、溝部１１に沿ってカッターナイフ等で切断することもできる。
【００２９】
また、溝部１１の上端１１ｔは基部１０の上端１０ｔよりも僅かに下方まで達しているため、巾木１を壁Ｗに設置した状態で、化粧部２０の上端２０ｔから溝部１１は見えず、外観を良好とすることができる。また、巾木１を壁Ｗに固定する際に使用する接着剤が、巾木１の上端２０ｔからはみ出すことが抑制される。
【００３０】
また、溝部１１は裏面１０ｂ側から表面２０ｆ側に向かうにしたがって次第に幅寸法が狭くなっており、切断する際の応力は溝部１１の底部１１ｂから化粧部２０の表面２０ｆに最も近い箇所にかけて集中するため、切断面は溝部１１の底部１１ｂに沿った形状となり見た目良く切断することができる。
【００３１】
また、巾木１の裏面１０ｂには表面２０ｆ側に凹むとともに一方向に延びる固定用凹部１６が形成されているため、固定用凹部１６に接着剤を塗布して、巾木１を壁Ｗに固定することができる。接着剤は固定用凹部１６内に納まりやすいため、接着剤の巾木１の端部からのはみ出しが抑制される。
【００３２】
また、基部１０は発泡性樹脂から形成されているため、少ない樹脂原料で所望の形状に成形することができる。また、内部に気泡を有するため、少ない力で切断が可能である。
【００３３】
なお、上述した実施の形態において示した各構成部材の諸形状や組み合わせ等は一例であって、本発明の主旨から逸脱しない範囲において設計要求等に基づき種々変更可能である。
【符号の説明】
【００３４】
１…巾木
１０…基部（巾木本体）
１１…溝部
１２…第一化粧凹部
１６…固定用凹部（凹部）
２０…化粧部
２１…第二化粧凹部
Ｗ…壁
【図１】
2018155073.tif 000003
【図２】
2018155073.tif 000004
【図３】
2018155073.tif 000005
【図４】
2018155073.tif 000006
【図５】
2018155073.tif 000007